(57)【要約】【課題】魚釣りにおいて、錘等の仕掛けが海底の障害物に引っ掛かった際に釣り糸の切断等を講じなくても容易に障害物からの離脱を行う。【解決方法】錘の下部と上部を離脱用ワイヤーでつなぎ、釣り糸を強く引くことで障害物から離脱させるために錘下部方向から引き上げる。【選択図】図１
2007222147.tif 000002
【特許請求の範囲】
【請求項１】
錘体と同等もしくはこれより長く設けた離脱用ワイヤー１において、この一端を錘体６の底部に設けた連結用リング２に通してＵ字状に折り曲げて固定し、同時に当該離脱用ワイヤー１の相対するもう一つの端部を同じくＵ字状に折り曲げて釣り糸との連結部３を構成し、同時に、弾性を有する小径の線材片８の一端を当該連結部３に加えて共にかしめて一体化して、当該線材片８の固定されていない他端９を錘体６の上部に設けたリング部４に通したことを特徴とする、魚釣りにおける錘等の障害物からの離脱装置。
【請求項２】
請求項１の離脱装置において、小径よりなる金属筒５を離脱用ワイヤー１に摺動可能な状態に通して設けるとともに、錘体６の本体を複数個からなる錘部１０に分割して湾曲可能な構造となし、当該錘体６の上部に設けた連結用リング部４に離脱装置の線材片８の解放された一端を通したる後さらに前述の金属筒５にこれを差し込み、障害物からの離脱を行うに際しては、釣り糸７の引っ張り力により錘本体が湾曲し、当該湾曲により生じた錘本体の収縮ストロークにより、当該線材片８が摺動可能な金属筒５から解放されるとともに錘上部の連結用リング部４から抜け外れて、錘本体をその底部に固定した離脱用ワイヤー１が引き上げることを特徴とした障害物からの離脱装置を備えた魚釣り用の錘。
【発明の詳細な説明】
【技術分野】
【０００１】本発明は、魚釣りに用いる錘に関するものである。【０００２】さらには、魚釣りにおいて、錘が岩などの障害物に引っかかって離脱不可能な状況にならないようにするものである。
【背景技術】
【０００３】通常魚釣りに用いる錘は鉛等の比重の高い金属が用いられ、一端に釣り糸結合用の開口部をその上部一端に有している。【０００４】従って、これらの錘を用いる際には、錘に設けられた釣り糸結合のリングなどに釣り糸の最下端を結び用いるのである。【０００５】このため、錘が海底の岩などの障害物に引っかかり、根掛かりした場合はテグスの引っ張り方向を変えるなどして根掛かりからの解放を試みるしかなかった。【０００６】しかし、陸上から、状況不明な水面下の錘に対し有効なテグス捌きは難しく、強制的にテグスの破断を試みるしかなかった。【０００７】このため、大半は回収不可能となり釣り糸を切断して放棄するしかなかった。
【発明の開示】
【発明が解決しようとする課題】
【０００８】本発明は、魚釣りにおいて海底の岩場などの障害物に錘が引っかかり外れなくなった場合に、強引にテグスを引きちぎるしかなかった。【０００９】また、このようにして海底に放置された錘には釣り糸、釣り針などが付いており海洋汚染、ダイバーなどへの危険な放置物となった。【００１０】当然、釣り人にとっても大変やっかいな問題であった。
【課題を解決しようとするための手段】
【００１１】上記の問題点を解決するために、本発明の請求項１では釣り糸７の最端部に離脱用ワイヤー１を設けるのであるが、当該離脱用ワイヤー１の端部は錘本体の底部に固定し、加えて、小径の弾性を有する線材片８を当該離脱用ワイヤー１の他の端部と共にかしめて一体となして離脱装置を構成するのである。
【００１２】当該離脱用ワイヤー１を使用するにあたっては、錘上部の連結用リング４に線材片８の解放された一端９を挿入するのである。
【００１３】また、本発明の請求項２では錘体６本体を複数個の錘１０に分割して構成し、錘本体が容易に曲がるように構成するのである。
【００１４】同時にこの曲がり得る錘体６の底部に離脱用ワイヤー１を固定し、加えて当該ワイヤー１の中間部に金属筒５を摺動可能に差し込んで設置し、線材片８を当該ワイヤー１の他の端部と共にかしめて一体となして、その解放された線材片８の他端９を錘体６の上部連結リング４と金属筒５に差し込んで離脱装置を構成するのである。
【００１５】かくして請求項１の発明にあっては、障害物１１に錘本体が引っかかった場合に、強い力で釣り糸７を引くことにより錘上部の連結用リング４から線材片８が抜け、錘の尾部を離脱用ワイヤー１が引き上げるのである。
【００１６】また、請求項２の発明にあっては、錘本体を複数個の円筒状の錘１０により構成したので、障害物１１に錘本体が引っかかった場合に、強い力で釣り糸７を引くことにより錘は容易にその本体を湾曲し、これにより生じたストローク差により線材片８を取り付けリング４から離脱せしめるのである。
【００１７】また、請求項１にいう線材片８が金属筒５より突き出した線材片の他端９の部分を任意の角度に折り曲げて、引き抜きの抵抗となし、調整することは有用である。
【００１８】かくして、錘が海底の障害物１１に引っかかり、離脱不能になった場合、釣り糸７をより強固に引くことにより、離脱用ワイヤー１に取り付けられた線材片８が直接錘上部の固定用リング４から抜けることにより、当該離脱用ワイヤー１は同リング４より解放されるのである。
【００１９】また、錘が海底の障害物１１に引っかかり、離脱不能になった場合、釣り糸４をより強固に引くことにより、錘本体が湾曲し、離脱用ワイヤー１に取り付けられた線材片８が摺動可能な金属筒５から抜けることにより、容易に錘上部の取り付けリング４より解放されるのである。
【００２０】解放された線材片８は、錘上部より離れ、これにより離脱用ワイヤー１は障害物１１に阻害された錘の最下部を持ち上げ錘の離脱を行うのである。
【００２１】当該線材片８は、本体の弾性により抜け止めの抵抗を構成するのであるが、投げ釣りあるいは船釣り等の場合の錘に掛かる荷重の差異に応じ、当該線材片８を折曲し、抜け抵抗を調整するのである。
【００２２】当該線材片８の素材を形状記憶合金等とすることは、同様の作用を及ぼすに効果的である。
【００２３】また、本件にいう錘は、その形状を棒状とするほど本出願の離脱方法には有用であり、同時に容易に曲がりうるコイル形状の錘素材、あるいは錘部と湾曲可能な中空部、軟質素材に分けて構成することにより、錘体６を曲折可能な構造となし、海底での障害物１１からの離脱に際し、これを容易ならしめることは効果的である。
【００２４】また、本発明の実施に際し、錘本体の上下部に浮力差を与えて構成すると障害物１１からの離脱により有効である。
【発明の効果】
【００２５】本発明にあっては、錘体６より長く設けた離脱用ワイヤー１の一端を錘体６の底部に設けた連結用リング２に通してＵ字状に折り曲げて固定し、同時に当該離脱用ワイヤー１の相対するもう一つの端部を、同じくＵ字状に折り曲げて釣り糸との連結部を構成し、同時に、弾性を有する小径の線材片８の一端を当該連結部３に加えて共にかしめて一体化して、当該線材片８の固定されていない多端９を錘体６の上部に設けたリング部４に通して離脱装置を構成したので、海底において本発明の錘体６が岩場などの障害物１１に引っかかっても、より強い力で釣り糸７を引くことにより、線材片８がリング部４から引き抜かれて、離脱用ワイヤー１を当該リング部４から解放し、錘体６上部位置から釣り糸７を離脱せしめるのである。
【００２６】本発明にあっては、請求項１に述べるように離脱用ワイヤー１の端部に固定用リング部２を設け、当該ワイヤー１の中間部に金属筒３を摺動可能に差し込んで設置し、当該ワイヤー１の他の端部と共に小径の弾性を有する線材片８をかしめて一体となした離脱装置を構成し、前述線材片８を錘体６の取り付けリング４に差し込んだ後、その端部を摺動可能な金属筒５に差し込んで、これにより障害物１１からの離脱をおこなう魚釣り用錘６の装置となしたので、海底において本発明の錘体６が岩場などの障害物１１に引つかかつても、より強い力で釣り糸７を引くことにより離脱用ワイヤー１が錘体６上部から釣り糸７を離脱せしめるのである。
【００２７】かくして、釣り糸７はその最端部で錘体６本体の最尾部を逆方向から引き上げることが出来るのである。
【００２８】本発明では、一度障害物１１からの離脱を行った後、改めて線材片８を摺動可能な金属筒５に入れ直すことで、何度でも本機能を利用出来るのである。
【発明を実施するための最良の形態】
【００２９】錘体より長く設けた離脱用ワイヤー１において、この一端を錘体６の底部に設けた連結用リング２に通してＵ字状に折り曲げて固定するのである。【００２９】当該離脱用ワイヤー１の相対するもう一つの端部を同じくＵ字状に折り曲げて釣り糸との連結部３を構成する。【００３０】この際、弾性を有する小径の線材片８の一端を当該連結部３と共にかしめて一体化して、当該線材片８の固定されていない他端９を錘体６の上部に設けたリング部４に通すのである。【００３１】当該線材片８のリング部４より突き出した部分をリング部４内径よりも大きく曲げて、抜けの調整を行うこともある。【００３２】あるいは、当該線材片８の全体長さをあらかじめ長くすることで、リング部４より突き出した余剰部分を多くし、抜けの度合いを調整することもある。【００３３】また、前述の離脱用ワイヤー１の構成において、小径よりなる金属筒５を離脱用ワイヤー１に摺動可能な状態に通して設けるのである。【００３３】さらに、錘体６の本体を複数個からなる錘部１０に分割して湾曲可能な構造となすのである。【００３４】かくして当該錘体６の上部に設けた連結用リング部４に離脱装置の線材片８の解放された一端を通したる後さらに前述の金属筒５にこれを差し込むのである。【００３５】かくして、金属筒５に差し込まれた弾性を有する線材片８はその弾性が強調され、不慮に金属筒５から抜け出ることがないのである。【００３６】障害物１１からの離脱を行うに際しては、釣り糸７の引っ張り力により錘本体が湾曲し、当該湾曲により生じた錘本体の収縮ストロークにより、当該線材片８が摺動可能な金属筒５から解放されるとともに錘上部の連結用リング部４から抜け外れて、錘本体をその底部に固定した離脱用ワイヤー１が引き上げるのである。
【図面の簡単な説明】
【図１】  請求項１の錘体と離脱装置の側面図である
【図２】  錘体上部のリング部に通した線材片８の位置関係を示す説明図である
【図３】  錘体上部のリング部にから突き出した線材片８を曲折した参考図である
【図４】  請求項２の発明を示す側面図である
【図５】  請求項２の錘体上部の位置関係を示す説明図である
【図６】  湾曲した錘体と線材片の解放を示す説明図である。図中線材片８は上部リング４より離脱して、錘体６の下部を離脱ワイヤー１が引っ張るのである。
【図７】  錘体を構成する分割した錘の参考図である
【図８】  錘体と複数の分割した錘の構造を示す説明図である
【図９】  湾曲した錘体の説明図である
【図１０】  金属筒の端から出た線材片を曲折した実施例である
【図１１】  障害物からの離脱を示す説明図で、錘体は障害物に引っかかっている。
【図１２】  障害物からの離脱を示す説明図で、湾曲した錘体により離脱ワイヤーが作動して、錘体底部が引かれ障害物からの離脱を行おうとしている。
【図１３】  障害物からの離脱を示す説明図で、錘体は底部から障害物を離脱し回収されている。
【符号の説明】
１    離脱用ワイヤー
２    錘体底部の連結用リング
３    釣り糸との連結部
４    錘体上部のリング部
５    金属筒
６    錘体
７    釣り糸
８    線材片
９    線材片の他端
１０    分割された錘
１１    海底の障害物
【図１】
2007222147.tif 000003
【図２】
2007222147.tif 000004
【図３】
2007222147.tif 000005
【図４】
2007222147.tif 000006
【図５】
2007222147.tif 000007
【図６】
2007222147.tif 000008
【図７】
2007222147.tif 000009
【図８】
2007222147.tif 000010
【図９】
2007222147.tif 000011
【図１０】
2007222147.tif 000012
【図１１】
2007222147.tif 000013
【図１２】
2007222147.tif 000014
【図１３】
2007222147.tif 000015